(57)【特許請求の範囲】
【請求項１】
原稿の片面または両面を読み取り、画像データに変換する読取手段と、
片面原稿か両面原稿かを指定する原稿面指定情報を受け取る原稿面指定情報受取手段と、
前記読取手段での読み取り設定である読取設定情報を受け取る読取設定情報受取手段と、
前記原稿面指定情報が片面原稿または両面原稿のいずれの場合でも、前記読取設定情報に基づいて両面を読み取るように、前記読取手段を制御する読取制御手段と、
前記画像データを出力する出力手段と、を備え、
前記読取制御手段は、
前記原稿面指定情報が片面原稿であった場合、
前記原稿の表面を、前記読取設定情報に基づいて読み取るとともに、前記原稿の裏面を、表面よりも前記画像データのデータ量が少なくなる条件で読み取るように、前記読取手段を制御すること、
を特徴とする画像処理装置。
【請求項２】
前記読取制御手段は、前記原稿の裏面を、前記読取設定情報に設定されている解像度より低い解像度で読み取るように、前記読取手段を制御すること、
を特徴とする請求項１に記載の画像処理装置。
【請求項３】
前記読取制御手段は、前記読取設定情報でカラー読み取りが設定されている場合、
前記原稿の裏面を、シングルカラーで読み取るように、前記読取手段を制御すること、
を特徴とする請求項１に記載の画像処理装置。
【請求項４】
前記画像データを編集する編集手段と、
前記読取手段が読み取った画像データが白紙の画像データであるか否かを検知する白紙検知手段と、をさらに備え、
前記編集手段は、前記原稿面指定情報が片面原稿であった場合、前記白紙検知手段が裏面の前記画像データが白紙の画像データであると検知すると、裏面の前記画像データを削除すること、
を特徴とする請求項１から３のいずれか一項に記載の画像処理装置。
【請求項５】
前記出力手段は、前記画像データをファイルとして出力すること、
を特徴とする請求項１から４のいずれか一項に記載の画像処理装置。
【請求項６】
前記出力手段を制御する出力制御手段をさらに備え、
前記出力手段は、前記画像データを転写材の片面または両面に印刷し、
前記出力制御手段は、前記原稿面指定情報が片面原稿であった場合、両面の前記画像データを転写材の両面に印刷するように前記出力手段を制御すること、
を特徴とする請求項１から３のいずれか一項に記載の画像処理装置。
【請求項７】
前記出力手段を制御する出力制御手段をさらに備え、
前記出力制御手段は、前記原稿面指定情報が片面原稿であった場合、
表面の前記画像データのみを出力するように前記出力手段を制御すること、
を特徴とする請求項１から４のいずれか一項に記載の画像処理装置。
【請求項８】
白紙以外の裏面の前記画像データを縮小したサムネイル画像データを生成するサムネイル画像生成手段をさらに備え、
前記出力制御手段は、前記サムネイル画像データを同時に出力するように、前記出力手段を制御すること、
を特徴とする請求項７に記載の画像処理装置。
【請求項９】
前記出力制御手段は、
前記サムネイル画像データのデータ量が所定の量より少ない場合、
前記サムネイル画像データを出力しないように、前記出力手段を制御すること、
を特徴とする請求項８に記載の画像処理装置。
【請求項１０】
前記出力制御手段は、
前記サムネイル画像データのデータ量が所定の量より多い場合、
前記サムネイル画像データを出力しないように、前記出力手段を制御すること、
を特徴とする請求項８に記載の画像処理装置。
【請求項１１】
前記出力手段を制御する出力制御手段をさらに備え、
前記出力制御手段は、前記原稿面指定情報が片面原稿であった場合、
両面の前記画像データを出力するように、前記出力手段を制御すること、
を特徴とする請求項１から３のいずれか一項に記載の画像処理装置。
【請求項１２】
前記出力制御手段は、裏面の前記画像データを不可視にするコードを同時に出力するように、前記出力手段を制御すること、
を特徴とする請求項１１に記載の画像処理装置。
【請求項１３】
前記出力制御手段は、
裏面の前記画像データのデータ量が所定の量より少ない場合、
裏面の前記画像データを出力しないように、前記出力手段を制御すること、
を特徴とする請求項１から３のいずれか一項に記載の画像処理装置。
【請求項１４】
前記出力制御手段は、
裏面の前記画像データのデータ量が所定の量より多い場合、
裏面の前記画像データを出力しないように、前記出力手段を制御すること、
を特徴とする請求項１から３のいずれか一項に記載の画像処理装置。
【請求項１５】
前記出力手段は、前記画像データをファイルとして出力すること、
を特徴とする請求項７から１４のいずれか一項に記載の画像処理装置。
【請求項１６】
前記出力手段は、前記画像データを転写材の片面または両面に印刷し、
前記出力制御手段は、前記原稿面指定情報が片面原稿であった場合、両面の前記画像データを転写材の両面に印刷するように前記出力手段を制御すること、
を特徴とする請求項１１に記載の画像処理装置。
【請求項１７】
原稿の片面または両面を読み取り、画像データに変換する読取手段と、
片面原稿か両面原稿かを指定する原稿面指定情報を受け取る原稿面指定情報受取手段と、
前記読取手段での読み取り設定である読取設定情報を受け取る読取設定情報受取手段と、
前記原稿面指定情報が片面原稿または両面原稿のいずれの場合でも、前記読取設定情報に基づいて両面を読み取るように、前記読取手段を制御する読取制御手段と、
前記画像データを出力する出力手段と、
前記出力手段を制御する出力制御手段と、を備え、
前記出力制御手段は、
前記原稿面指定情報が片面原稿であった場合、
表面の前記画像データを、そのまま出力するとともに、
裏面の前記画像データを、表面の前記画像データのデータ量より少なくして出力するように、前記出力手段を制御すること、
を特徴とする画像処理装置。
【請求項１８】
前記出力制御手段は、裏面の前記画像データを、前記読取設定情報に設定されている解像度より低い解像度で出力するように、前記出力手段を制御すること、
を特徴とする請求項１７に記載の画像処理装置。
【請求項１９】
前記出力制御手段は、前記読取設定情報でカラー読み取りが設定されている場合、
裏面の前記画像データを、シングルカラーで出力するように、前記出力手段を制御すること、
を特徴とする請求項１７に記載の画像処理装置。
【請求項２０】
前記出力手段は、前記画像データをファイルとして出力すること、
を特徴とする請求項１７から１９のいずれか一項に記載の画像処理装置。
【請求項２１】
前記出力手段は、前記画像データを転写材の片面または両面に印刷し、
前記出力制御手段は、前記原稿面指定情報が片面原稿であった場合、両面の前記画像データを転写材の両面に印刷するように前記出力手段を制御すること、
を特徴とする請求項１７から１９のいずれか一項に記載の画像処理装置。
【請求項２２】
前記出力手段を制御する出力制御手段と、
前記画像データを編集する編集手段と、
前記読取手段が読み取った画像データが白紙の画像データであるか否かを検知する白紙検知手段と、をさらに備え、
前記出力手段は、前記画像データを転写材の片面または両面に印刷し、
前記編集手段は、前記原稿面指定情報が片面原稿であった場合、前記白紙検知手段が裏面の前記画像データが白紙の画像データであると検知すると、裏面の前記画像データを削除し、
前記出力制御手段は、前記原稿面指定情報が片面原稿であった場合、表面の前記画像データと削除しなかった裏面の前記画像データとを転写材の片面に印刷するように前記出力手段を制御すること、
を特徴とする請求項１に記載の画像処理装置。
【発明の詳細な説明】
【技術分野】
【０００１】
本発明は、画像処理装置に関し、例えば、スキャナ、デジタル複写機、ファクシミリ、または、これらの機能を兼ね備えたデジタル複合機に使用できる。
【背景技術】
【０００２】
現在、オフィススペースを有効利用するため、紙文書の電子化が進行している。紙文書の電子化をするためには、通常、画像処理装置でスキャンをして電子ファイルを生成する。従来の画像処理装置では、利用者が指定したとおりに原稿を読み取り、読み取った画像データに対して画像処理を行い電子ファイルを生成する。例えば、利用者が片面読み取りを指定した場合は原稿の片面のみを読み取り、両面読み取りを指定した場合は原稿の両面を読み取る。従って、利用者が読み取り面の指定を誤った場合は、そのまま誤って原稿が読み取られてしまうという問題があり、例えば、利用者が片面原稿だと認識し片面読み取りを指定した場合、裏面に手書きのメモのような有用な情報があっても、この情報は一切記録されない。電子化は、紙文書があった物理的なスペースを空けることが目的の一つであるため、電子化の対象となる元の紙文書は破棄されてしまうと、この有用な情報は失われてしまうことになる。
【０００３】
このような問題に対して、利用者の原稿の読み取り面指定の誤りを検出するための装置が提案されている。例えば、特許文献１では、原稿の読み取り指定が片面だった場合でも、複数枚ある原稿の１枚目については両面を読み取り、読み取った両面の画像データから読み取り指定の誤りがあったと判定した場合には、利用者にその旨を連絡する画像処理装置が記載されている。
【０００４】
【特許文献１】特開２００７−４９４７４号公報
【発明の開示】
【発明が解決しようとする課題】
【０００５】
しかしながら、特許文献１の画像処理装置では、１枚目の表面に情報が記載され裏面が白紙の場合、読み取り指定は正しいと判定して読み取り処理をそのまま進めてしまうため、２枚目以降の裏面に情報が記載されていても表面しか読み取り処理を行わない。特に、２枚目以降の裏面に利用者が気付かない重要な内容が記載されている場合には、大きな問題となる。
【０００６】
本発明は、上記に鑑みてなされたものであって、原稿の読み取り指定が片面だった場合でも、裏面に存在する有用な情報を保存することのできる画像処理装置を提供することを目的とする。
【課題を解決するための手段】
【０００７】
上述した課題を解決し、目的を達成するために、本発明は、原稿の片面または両面を読み取り、画像データに変換する読取手段と、片面原稿か両面原稿かを指定する原稿面指定情報を受け取る原稿面指定情報受取手段と、前記読取手段での読み取り設定である読取設定情報を受け取る読取設定情報受取手段と、前記原稿面指定情報が片面原稿または両面原稿のいずれの場合でも、前記読取設定情報に基づいて両面を読み取るように、前記読取手段を制御する読取制御手段と、前記画像データを出力する出力手段と、を備え、前記読取制御手段は、前記原稿面指定情報が片面原稿であった場合、前記原稿の表面を、前記読取設定情報に基づいて読み取るとともに、前記原稿の裏面を、表面よりも前記画像データのデータ量が少なくなる条件で読み取るように、前記読取手段を制御すること、を特徴とする。
【０００９】
また、本発明は、前記読取制御手段は、前記原稿の裏面を、前記読取設定情報に設定されている解像度より低い解像度で読み取るように、前記読取手段を制御すること、を特徴とする。
【００１０】
また、本発明は、前記読取制御手段は、前記読取設定情報でカラー読み取りが設定されている場合、前記原稿の裏面を、シングルカラーで読み取るように、前記読取手段を制御すること、を特徴とする。
【００１１】
また、本発明は、前記画像データを編集する編集手段と、前記読取手段が読み取った画像データが白紙の画像データであるか否かを検知する白紙検知手段と、をさらに備え、前記編集手段は、前記原稿面指定情報が片面原稿であった場合、前記白紙検知手段が裏面の前記画像データが白紙の画像データであると検知すると、裏面の前記画像データを削除すること、を特徴とする。
【００１２】
また、本発明は、前記出力手段は、前記画像データをファイルとして出力すること、を特徴とする。
【００１３】
また、本発明は、前記出力手段を制御する出力制御手段をさらに備え、前記出力手段は、前記画像データを転写材の片面または両面に印刷し、前記出力制御手段は、前記原稿面指定情報が片面原稿であった場合、両面の前記画像データを転写材の両面に印刷するように前記出力手段を制御すること、を特徴とする。
【００１４】
また、本発明は、前記出力手段を制御する出力制御手段をさらに備え、前記出力制御手段は、前記原稿面指定情報が片面原稿であった場合、表面の前記画像データのみを出力するように前記出力手段を制御すること、を特徴とする。
【００１５】
また、本発明は、白紙以外の裏面の前記画像データを縮小したサムネイル画像データを生成するサムネイル画像生成手段をさらに備え、前記出力制御手段は、前記サムネイル画像データを同時に出力するように、前記出力手段を制御すること、を特徴とする。
【００１６】
また、本発明は、前記出力制御手段は、前記サムネイル画像データのデータ量が所定の量より少ない場合、前記サムネイル画像データを出力しないように、前記出力手段を制御すること、を特徴とする。
【００１７】
また、本発明は、前記出力制御手段は、前記サムネイル画像データのデータ量が所定の量より多い場合、前記サムネイル画像データを出力しないように、前記出力手段を制御すること、を特徴とする。
【００１８】
また、本発明は、前記出力手段を制御する出力制御手段をさらに備え、前記出力制御手段は、前記原稿面指定情報が片面原稿であった場合、両面の前記画像データを出力するように、前記出力手段を制御すること、を特徴とする。
【００１９】
また、本発明は、前記出力制御手段は、裏面の前記画像データを不可視にするコードを同時に出力するように、前記出力手段を制御すること、を特徴とする。
【００２０】
また、本発明は、前記出力手段を制御する出力制御手段をさらに備え、前記出力制御手段は、裏面の前記画像データのデータ量が所定の量より少ない場合、裏面の前記画像データを出力しないように、前記出力手段を制御すること、を特徴とする。
【００２１】
また、本発明は、前記出力制御手段は、裏面の前記画像データのデータ量が所定の量より多い場合、裏面の前記画像データを出力しないように、前記出力手段を制御すること、を特徴とする。
【００２２】
また、本発明は、前記出力手段は、前記画像データをファイルとして出力すること、を特徴とする。
【００２３】
また、本発明は、前記出力手段は、前記画像データを転写材の片面または両面に印刷し、前記出力制御手段は、前記原稿面指定情報が片面原稿であった場合、両面の前記画像データを転写材の両面に印刷するように前記出力手段を制御すること、を特徴とする。
【００２４】
また、本発明は、原稿の片面または両面を読み取り、画像データに変換する読取手段と、片面原稿か両面原稿かを指定する原稿面指定情報を受け取る原稿面指定情報受取手段と、前記読取手段での読み取り設定である読取設定情報を受け取る読取設定情報受取手段と、前記原稿面指定情報が片面原稿または両面原稿のいずれの場合でも、前記読取設定情報に基づいて両面を読み取るように、前記読取手段を制御する読取制御手段と、前記画像データを出力する出力手段と、前記出力手段を制御する出力制御手段と、を備え、前記出力制御手段は、前記原稿面指定情報が片面原稿であった場合、表面の前記画像データを、そのまま出力するとともに、裏面の前記画像データを、表面の前記画像データのデータ量より少なくして出力するように、前記出力手段を制御すること、を特徴とする。
【００２５】
また、本発明は、前記出力制御手段は、裏面の前記画像データを、前記読取設定情報に設定されている解像度より低い解像度で出力するように、前記出力手段を制御すること、を特徴とする。
【００２６】
また、本発明は、前記出力制御手段は、前記読取設定情報でカラーでの読み取りが設定されている場合、裏面の前記画像データを、シングルカラーで出力するように、前記出力手段を制御すること、を特徴とする。
【００２７】
また、本発明は、前記出力手段は、前記画像データをファイルとして出力すること、を特徴とする。
【００２８】
また、本発明は、前記出力手段を制御する出力制御手段をさらに備え、前記出力手段は、前記画像データを転写材の片面または両面に印刷し、前記出力制御手段は、前記原稿面指定情報が片面原稿であった場合、両面の前記画像データを転写材の両面に印刷するように前記出力手段を制御すること、を特徴とする。
【００２９】
また、本発明は、前記出力手段を制御する出力制御手段と、前記画像データを編集する編集手段と、前記読取手段が読み取った画像データが白紙の画像データであるか否かを検知する白紙検知手段と、をさらに備え、前記出力手段は、前記画像データを転写材の片面または両面に印刷し、前記編集手段は、前記原稿面指定情報が片面原稿であった場合、前記白紙検知手段が裏面の前記画像データが白紙の画像データであると検知すると、裏面の前記画像データを削除し、前記出力制御手段は、前記原稿面指定情報が片面原稿であった場合、表面の前記画像データと削除しなかった裏面の前記画像データとを転写材の片面に印刷するように前記出力手段を制御すること、を特徴とする。
【発明の効果】
【００３０】
本発明によれば、原稿読み取りの原稿面指定が片面だった場合でも両面を読み取り、両面の画像データを含む画像ファイルを生成し出力することができるので、裏面に存在する有用な情報が保存されないことを防止できるという効果を奏する。
【発明を実施するための最良の形態】
【００３１】
以下に添付図面を参照して、この発明にかかる画像処理装置の最良な実施の形態を詳細に説明する。なお、本実施の形態にかかる画像処理装置は、スキャナ、デジタル複写機、ファクシミリ、または、これらの機能を兼ね備えたデジタル複合機に適用することが可能である。
【００３２】
（第１の実施の形態）
図１は、第１の実施の形態にかかる画像処理装置の構成を示すブロック図である。この画像処理装置は、スキャナボードユニット（以下、ＳＢＵと称する）１１、白紙検知ユニット（以下、ＷＩＵと称する）１２、圧縮／伸張およびデータインターフェイス（以下、ＣＤＩＣと称する）１３、画像処理プロセッサ（以下、ＩＰＵと称する）１４、ネットワーク制御ユニット（以下、ＮＣＵと称する）１５、ＩＰネットワーク１６、メモリモジュール（以下、ＭＥＭと称する）１７、画像メモリアクセス制御ユニット（以下、ＩＭＡＣと称する）１８、液晶タッチパネル１９、プロセスコントローラ２０、システムコントローラ２１、プリンタ２２、第１のＲＡＭ２３、第１のＲＯＭ２４、第２のＲＡＭ２５、第２のＲＯＭ２６、ローカルバス２７、パラレルバス２８、および、シリアルバス２９を備えて構成されている。
【００３３】
ＳＢＵ１１は、原稿を光学的に読み取るユニットである。ＳＢＵ１１は、光源と光学的ラインセンサ（図示しない）を備え、それらの位置は固定されていて、原稿をＡＤＦ（自動搬送装置、図示しない）の上に設置し、一定速度で動かすことにより流し読みをする。光源から照射した光は原稿に反射し、その反射光は光学的ラインセンサへ集められる。光学的ラインセンサは、集められた光の強度をアナログの電気信号に変換するためのデバイスで、本実施例では電荷結合素子（以下、ＣＣＤと称する）を使用する。ＣＣＤから出力されるアナログの電気信号は量子化された後に、デジタルの画像データとしてＳＢＵ１１からＷＩＵ１２へ転送される。
【００３４】
ＷＩＵ１２は、白紙検知処理を行うユニットである。ＷＩＵ１２は、ＳＢＵ１１から転送された画像データを白紙検知アルゴリズムによって実施し、白紙原稿と判定された場合には、プロセスコントローラ２０に、その旨を通知する。ＷＩＵ１２は白紙検知アルゴリズムを実行する過程で、ＳＢＵ１１から転送された画像データを、そのままＣＤＩＣ１３へ転送する。
【００３５】
ＣＤＩＣ１３は、各ユニット間で行われる種々のデータ転送を円滑に行うための制御ユニットである。ＣＤＩＣ１３は、後述するＮｅｔｗｏｒｋ  ｔｏ  Ｍｅｍｏｒｙ動作やＭｅｍｏｒｙ  ｔｏ  Ｐｒｉｎｔ動作を行う時に、データパスの切り替えを行う。
【００３６】
ＩＰＵ１４は、ＣＤＩＣ１３から転送されたデジタルの画像データに対して画像処理を行うためのユニットである。ＩＰＵ１４は、ＣＤＩＣ１３から転送されたデジタルの画像データに対して画像の周波数特性や階調特性などを、自機の特徴や利用者の要求に併せて最適化する。最適化処理が終了したデジタル画像は、再びＣＤＩＣ１３へ転送される。
【００３７】
ＮＣＵ１５は、ＩＰネットワーク１６に接続された自機以外の端末と通信するためのユニットである。ＮＣＵ１５は、データ送信時は、ＩＰネットワーク１６の通信プロトコルに従って送信データをパケット分割し、ＩＰネットワーク１６へ出力する。また受信時は、ＩＰネットワーク１６の通信プロトコルに従ってパケット分割されたデータから、本来の受信データを再生する。また、ＮＣＵ１５は、後述するＭｅｍｏｒｙ  ｔｏ  Ｎｅｔｗｏｒｋ動作時に、裏面の画像データのサムネイル（縮小）データを生成するサムネイルデータ生成手段を備える。
【００３８】
ＭＥＭ１７は、デジタル画像を保存するためのメモリであるメモリモジュールである。  ＭＥＭ１７は、メモリであれば何でもよい。ＳＲＡＭであってもよいし、ＨＤＤであってもよく、ＭＥＭ１７として両方存在してもよい。
【００３９】
ＩＭＡＣ１８は、デジタル画像の圧縮や伸張処理を行い、またＭＥＭ１７にデジタル画像を読み書きするためのユニットである。
【００４０】
液晶タッチパネル１９は、利用者が本画像処理装置を使用する際に必要となる情報を表示するためのユニットである。液晶タッチパネル１９は、利用者が表示画面に触れることで、種々の設定を行うこともできる。
【００４１】
プロセスコントローラ２０は、ＳＢＵ１１、ＷＩＵ１２、ＣＤＩＣ１３、および、ＩＰＵ１４の動作を制御したり、それぞれに必要な設定を行い、起動、終了、処理経過などを監視する。
【００４２】
システムコントローラ２１は、ＮＣＵ１５、ＭＥＭ１７、ＩＭＡＣ１８、および、液晶タッチパネル１９の動作を制御したり、それぞれに必要な設定を行ったり、起動、終了、処理の経過を監視したりする。システムコントローラ２１には、図示していないが、スピーカが接続されている。このスピーカは、利用者が液晶タッチパネル１９上のソフトキーに触れた時の確認音や、その他の理由で利用者の注意をひくために音を鳴らすためのユニットである。
【００４３】
プリンタ２２は、この画像処理装置によって処理された画像データを顕像化する、具体的には、画像データを紙などの転写材に印刷する。プリンタ２２は、ＩＰＵ１４に接続されている。
【００４４】
第１のＲＡＭ２３および第１のＲＯＭ２４は、ＳＢＵ１１、ＷＩＵ１２、ＣＤＩＣ１３、ＩＰＵ１４、および、プロセスコントローラ２０が処理を行う際に必要となる情報を保存している。第１のＲＡＭ２３および第１のＲＯＭ２４は、例えば、ＷＩＵ１２がＳＩＭＤ演算で白紙検知処理を行うためのプログラムや、ＳＢＵ１１に搭載するＣＣＤの特性値などを保存している。
【００４５】
第２のＲＡＭ２５および第２のＲＯＭ２６は、ＮＣＵ１５、ＭＥＭ１７、ＩＭＡＣ１８、液晶タッチパネル１９、および、システムコントローラ２１が処理を行う際に必要となる情報を保存している。第２のＲＡＭ２５および第２のＲＯＭ２６は、例えば、ＮＣＵ１５がＩＰネットワーク１６を経由して画像データを受信するためのプロトコル情報、液晶タッチパネル１９に文字や図柄を表示するための文字情報やビットマップ情報、ＭＥＭ１７に蓄積可能なデジタル画像の総量や残量に関する情報、および、利用者が液晶タッチパネル１９に表示された操作部（図示しない）から入力した情報などを保存している。第２のＲＡＭ２５および第２のＲＯＭ２６は、ローカルバス２７を介して、ＩＭＡＣ１８に接続されている。
【００４６】
パラレルバス２８は、ＣＤＩＣ１３、ＮＣＵ１５、および、ＩＭＡＣ１８を相互に接続する。シリアルバス２９は、ＳＢＵ１１、ＷＩＵ１２、ＣＤＩＣ１３、ＩＰＵ１４、プロセスコントローラ２０、第１のＲＡＭ２３、および、第１のＲＯＭ２４を相互に接続する。
【００４７】
次に、本実施の形態にかかる画像処理装置の基本動作であるＳｃａｎ  ｔｏ  Ｍｅｍｏｒｙ動作とＭｅｍｏｒｙ  ｔｏ  Ｎｅｔｗｏｒｋ動作について簡単に説明する。
【００４８】
（Ｓｃａｎ  ｔｏ  Ｍｅｍｏｒｙ動作の基本動作）
Ｓｃａｎ  ｔｏ  Ｍｅｍｏｒｙ動作とは、ＳＢＵ１１で原稿を読み取り、そのデジタル画像データをＭＥＭ１７へ蓄積する動作のことである。利用者はＳＢＵ１１内に設置された原稿台に原稿を設置し、図２に示すように、液晶タッチパネル１９に表示された操作部から種々の読み取り条件を設定する。図２は操作部に表示される種々の読み取り条件を示す図である。すなわち、読み取る原稿の面は片面か両面を指定する原稿面指定を設定し、自動設定かＡ４原稿を縦に読み取るか等読み取り範囲を設定し、１２００ｄｐｉ、６００ｄｐｉ、３００ｄｐｉのいずれかの読み取り解像度を設定し、滑らかかはっきりか（絵柄画像か文字画像か）等の読み取り画質を設定し、カラーかグレースケール（シングルカラー）かのカラーモード指定を設定し、確定ボタン１９ａが押されると、利用者が設定した読み取り条件はプロセスコントローラ２０およびシステムコントローラ２１へ転送される。
【００４９】
プロセスコントローラ２０は、転送された読み取り条件を第１のＲＡＭ２３へ保存し、また読み取り条件に従った動作をＳＢＵ１１、ＷＩＵ１２、ＣＤＩＣ１３、および、ＩＰＵ１４へ指示する。システムコントローラ２１は、転送された読み取り条件を第２のＲＡＭ２５へ保存し、また読み取り条件に従った動作を、ＮＣＵ１５、ＭＥＭ１７、および、ＩＭＡＣ１８へ指示する。
【００５０】
ここで、プロセスコントローラ２０およびシステムコントローラ２１は、それぞれ原稿面指定情報受け取り部、カラーモード指定情報受け取り部、および、読み取り解像度設定情報受け取り部を備えている。プロセスコントローラ２０およびシステムコントローラ２１は、原稿面指定情報受け取り部で、転送された読み取り条件から原稿面指定情報を抽出し、表面であるか両面であるかをそれぞれ第１のＲＡＭ２３および第２のＲＡＭ２５に保存する。
【００５１】
また、プロセスコントローラ２０およびシステムコントローラ２１は、カラーモード指定情報受け取り部で、転送された読み取り条件からカラーモード指定情報を抽出し、カラーであるか否かをそれぞれ第１のＲＡＭ２３および第２のＲＡＭ２５に保存する。さらに、プロセスコントローラ２０およびシステムコントローラ２１は、読み取り解像度設定情報受け取り部で、転送された読み取り条件から解像度設定情報を抽出し、解像度をそれぞれ第１のＲＡＭ２３および第２のＲＡＭ２５に保存する。
【００５２】
各ユニットへの指示が完了すると、ＳＢＵ１１は原稿台に設置された文書を読み取り、デジタル画像データをＷＩＵ１２へ転送する。ＷＩＵ１２はデジタル画像に対して白紙検知アルゴリズムを実行し、デジタル画像データをＣＤＩＣ１３経由でＩＰＵ１４へ転送する。ここでＩＰＵ１４はＳＢＵ１１の光学特性を補償するための画像処理を行い、デジタル画像データをＣＤＩＣ１３へ戻す。
【００５３】
ＣＤＩＣ１３はＩＰＵ１４から受け取ったデジタル画像データをパラレルバス２８経由でＩＭＡＣ１８へ転送する。ＩＭＡＣ１８はデジタル画像データをＭＥＭ１７に蓄積可能な保存形式へ圧縮してＭＥＭ１７へ保存する。動作中、ＳＢＵ１１、ＷＩＵ１２、ＣＤＩＣ１３、および、ＩＰＵ１４の状態は、逐次プロセスコントローラ２０へ通知され、またＭＥＭ１７とＩＭＡＣ１８の状態は、逐次システムコントローラ２１へ通知される。デジタル画像データの保存が完了すると、システムコントローラ２１は操作部にその旨を表示し、Ｓｃａｎ  ｔｏ  Ｍｅｍｏｒｙ動作を終了する。
【００５４】
（Ｍｅｍｏｒｙ  ｔｏ  Ｎｅｔｗｏｒｋ動作の基本動作）
Ｍｅｍｏｒｙ  ｔｏ  Ｎｅｔｗｏｒｋ動作とは、ＭＥＭ１７に蓄積されたデジタル画像データを自機以外の情報処理端末へ送信する動作のことである。ＩＭＡＣ１８はＭＥＭ１７からデジタル画像データを読み出して、保存する前の画像形式へ伸張する。それからパラレルバス２８を経由してＣＤＩＣ１３にデジタル画像データを転送する。ＣＤＩＣ１３はＩＭＡＣ１８から転送されたデジタル画像データをＩＰＵ１４へ転送する。ＩＰＵ１４ではデジタル画像データの周波数特性や階調特性などを最適化するための画像処理を行う。ＩＰＵ１４で画像処理されたデジタル画像データは再びＣＤＩＣ１３へ転送される。
【００５５】
ＣＤＩＣ１３はＩＰＵ１４から転送されたデジタル画像データをパラレルバス２８経由でＮＣＵ１５へ転送する。ＮＣＵ１５はデジタル画像を、例えばＰＤＦ形式、ＴＩＦＦ形式、または、ＪＰＥＧ形式と言った汎用のファイル形式に変換して画像ファイルを生成する。そしてＩＰネットワークの通信プロトコルに従って、送信先の情報処理端末へ画像ファイルを送信する。動作中、ＮＣＵ１５、ＭＥＭ１７、および、ＩＭＡＣ１８の状態は、逐次システムコントローラ２１へ通知される。ＮＣＵ１５によるデジタル画像の送信が完了すると、システムコントローラ２１は操作部にその旨を表示し、Ｍｅｍｏｒｙ  ｔｏ  Ｎｅｔｗｏｒｋ動作を終了する。
【００５６】
なお、Ｓｃａｎ  ｔｏ  ＭｅｍｏｒｙのジョブとＭｅｍｏｒｙ  ｔｏ  Ｎｅｔｗｏｒｋのジョブは、必ずしも交互に実施する必要はない。例えば、ＩＰネットワーク１６が混雑している時は、Ｓｃａｎ  ｔｏ  Ｍｅｍｏｒｙのジョブだけを先行して行ってもよい。そのようにすれば、ＩＰネットワーク１６の混雑状況に関わらず、安定した速度で原稿の読み取り動作を行うことができる。また、ＰＤＦ形式やマルチＴＩＦＦ形式の様に１つの画像ファイルに複数の読み取り画像を格納できるファイル形式もあるので、Ｓｃａｎ  ｔｏ  Ｍｅｍｏｒｙのジョブを実施する回数とＭｅｍｏｒｙ  ｔｏ  Ｎｅｔｗｏｒｋのジョブを実施する回数は必ずしも等しくならない。これらのジョブ管理はシステムコントローラ２１が行う。
【００５７】
（画像処理方法）
次に、利用者が原稿の片面読み取りを指定した場合に、画像処理装置が行う画像処理方法について詳しく説明する。本実施の形態にかかる画像処理装置では、利用者が原稿の片面読み取りを指定した場合でも、原稿の両面を読み取り、読み取ったデジタル画像データから画像ファイルを生成する。図３は、本実施の形態にかかる画像処理装置における画像処理方法を示すフローチャートである。
【００５８】
あらかじめ、利用者は、画像ファイルサーバの中に、これから読み取りを行う原稿の画像ファイルが保存できる場所を確保しておく。そして利用者は、操作部を使って、画像ファイルサーバのＩＰアドレスと画像ファイルの保存先のパス名を画像処理装置に設定する（ステップＳ３０１）。次に、利用者は、ＡＤＦの上に原稿を設置し（ステップＳ３０２）、操作部を使って片面読み取りを指定する（ステップＳ３０３）。
【００５９】
ＡＤＦは、両面を一搬送で読み取るものでも、スイッチバック形式のものでもかまわない。ただし、利用者が片面読み取りを指定するにもかかわらず、両面を読み取ることから、利用者に視覚情報に起因するストレスを与えないためには、両面を一搬送で読み取る方が好ましい。スイッチバック形式のものであると、裏面を読み取るために、一度原稿が搬送経路を戻るのを視覚的に捉えられることになり、それによって利用者がストレスを感じる可能性があるためである。両面を一搬送で読み取る方式であれば、片面のみを読み取る場合に比べると時間はかかるものの、原稿が戻るという視覚情報は利用者に与えることはなくなるため、視覚情報に起因するストレスは防ぐことができる。なお、本例では、ＡＤＦにスイッチバック形式のものを使用している。
【００６０】
次に、利用者は、操作部を使って他の読み取り条件を設定し（ステップＳ３０４）、全ての入力が完了したらスタートボタンを押す（ステップＳ３０５）。
【００６１】
そして、画像処理装置は、ＳＢＵ１１で原稿を読み取り、そのデジタル画像データをＭＥＭ１７へ蓄積するＳｃａｎ  ｔｏ  Ｍｅｍｏｒｙ動作を実施する（ステップＳ３０６）。次に、画像処理装置は、ＭＥＭ１７に蓄積されたデジタル画像データから画像ファイル（出力画像ファイル）を生成し、画像処理装置以外の情報処理端末である画像ファイルサーバへ送信するＭｅｍｏｒｙ  ｔｏ  Ｎｅｔｗｏｒｋ動作を実施する（ステップＳ３０７）。以上のステップを経て画像処理が終了する。
【００６２】
なお、画像ファイルサーバは、画像ファイル（出力画像ファイル）を受信すると、先に利用者が確保した場所に、固有のファイル名を付けて保存する。ここで固有のファイル名とは、個々の画像ファイル（出力画像ファイル）が識別できる名称のことである。例えば、同時刻に複数の画像ファイル（出力画像ファイル）を保存することがないのであれば、固有の名称に受信時刻を含めてもよい。一例を示すと２０１０年１０月０１日１２時２５分４０秒にＴＩＦＦ形式の画像ファイルを保存したのであれば、それぞれの数字を羅列した２０１０１００１１２２５４０．ＴＩＦＦという名称で保存することもできる。画像ファイル（出力画像ファイル）の保存が完了した後は、利用者自身が都合のよい時に、パソコンなどの画像閲覧ソフトを使って、画像ファイルサーバに保存された画像を閲覧したり、また別の情報処理端末へ画像ファイル（出力画像ファイル）を移動後出力したりすることができる。
【００６３】
（Ｓｃａｎ  ｔｏ  Ｍｅｍｏｒｙ動作の具体例）
次に、本実施の形態にかかる画像処理装置におけるＳｃａｎ  ｔｏ  Ｍｅｍｏｒｙ動作の具体例について説明する。具体例では、画像処理装置は、原稿面指定が片面だった場合、表面の読み取り条件と全て同じ条件で、または、一部の条件を変更して裏面を読み込み、読み込んだ画像データに画像処理をする。図４は、Ｓｃａｎ  ｔｏ  Ｍｅｍｏｒｙ動作の具体例を示すフローチャートである。
【００６４】
液晶タッチパネル１９は、スタートボタンが押されると、その旨をプロセスコントローラ２０に通知し、プロセスコントローラ２０は、表面を指定する原稿面指定情報を含んだ読み取り条件を第１のＲＡＭ２３に保存するとともに、システムコントローラ２１は、表面を指定する原稿面指定情報を含んだ読み取り条件を第２のＲＡＭ２５へ保存する（ステップＳ４０１）。
【００６５】
プロセスコントローラ２０は、ＳＢＵ１１に原稿を搬送し（ステップＳ４０２）、ＳＢＵ１１に対して表面を読み取り条件に基づいて読み込ませる（ステップＳ４０３）。ＳＢＵ１１によって読み込まれた表面の画像データはＷＩＵ１２に送られ、ＷＩＵ１２は、表面の白紙検知を実行する（ステップＳ４０４）。そして、白紙検知の結果は、プロセスコントローラ２０に通知される。
【００６６】
プロセスコントローラ２０は、表面の読み取り条件に基づいて第１のＲＯＭ２４から画像処理パラメータを読み込み、そのパラメータによってＩＰＵ１４に対して表面の画像処理をさせる（ステップＳ４０５）。本具体例では、表面の画像処理の際に白紙検知の結果を反映させないが、白紙を検知した表面の画像データを削除してもよい。
【００６７】
次に、プロセスコントローラ２０は、表面の読み取り条件のうち、カラーモード指定情報がカラーか否かを判断する（ステップＳ４０６）。プロセスコントローラ２０は、カラーモード指定情報がカラーであると判断した場合（ステップＳ４０６：Ｙｅｓ）、裏面の読み取り条件のカラーモード指定情報をグレースケール（シングルカラー）に変更する（ステップＳ４０７）。プロセスコントローラ２０は、カラーモード指定情報がカラーではない、すなわちグレースケール（シングルカラー）であると判断した場合（ステップＳ４０６：Ｎｏ）、そのままステップＳ４０８へ進む。
【００６８】
ステップＳ４０８で、プロセスコントローラ２０は、表面の読み取り条件のうち、解像度設定情報が最も低い解像度であるか否かを判断する。プロセスコントローラ２０は、解像度設定情報が最も低い解像度ではない、すなわち、１２００ｄｐｉまたは６００ｄｐｉであると判断した場合（ステップＳ４０８：Ｎｏ）、裏面の読み取り条件の解像度設定情報を最も低い解像度、すなわち、３００ｄｐｉに変更する（ステップＳ４０９）。プロセスコントローラ２０は、解像度設定情報が最も低い解像度である、すなわち、３００ｄｐｉであると判断した場合（ステップＳ４０８：Ｙｅｓ）、そのままステップＳ４１０へ進む。
【００６９】
ステップＳ４１０で、プロセスコントローラ２０は、ＳＢＵ１１に対して裏面を読み取り条件に基づいて読み込ませる。この場合の裏面の読取り条件は、基本的には、表面の読み取り条件と全て同じであるが、ステップＳ４０７でカラーモード指定を変更した場合、および、ステップＳ４０９で解像度設定を変更した場合は、表面の読み取り条件に対してその部分のみを変更した条件となる。
【００７０】
これは、原稿面指定が片面にも関わらず裏面に何らかの情報が記載されている場合、裏面に記載されている内容はメモ書きである可能性が高いためである。メモ書きは些細なことを記録しておくために記載してあることが多く、表面の情報に比べて情報としての価値は低いため、画像品質が少し劣るがデータ量が少なくなる条件で読み込んでも影響はない。
【００７１】
カラーモード指定をカラーからグレースケール（シングルカラー）に変更して裏面を読み込んだ場合、読み込まれた画像データのデータ量はカラーの場合と比べて少なくなる。同様に解像度設定を低くして裏面を読み込んだ場合、読み込まれた画像データのデータ量は解像度が高い場合と比べて少なくなる。従って、画像処理装置内での画像データの通信速度が向上し、スループットが向上することができるとともに、Ｍｅｍｏｒｙ  ｔｏ  Ｎｅｔｗｏｒｋ動作で生成される画像ファイルのデータ量を少なくすることができる。
【００７２】
ＳＢＵ１１によって読み込まれた裏面の画像データはＷＩＵ１２に送られ、ＷＩＵ１２は、裏面の白紙検知を実行する（ステップＳ４１１）。そして、白紙検知の結果は、プロセスコントローラ２０に通知される。
【００７３】
プロセスコントローラ２０は、読み取り条件に基づいて第１のＲＯＭ２４から画像処理パラメータを読み込み、そのパラメータによってＩＰＵ１４に対して裏面の画像処理をさせる（ステップＳ４１２）。この場合の読取り条件は、前述したように、基本的には、表面の読み取り条件と全て同じであるが、ステップＳ４０７でカラーモード指定を変更した場合、および、ステップＳ４０９で解像度設定を変更した場合は、表面の読み取り条件に対してその部分のみを変更した条件となる。
【００７４】
さらに、本具体例では、裏面の画像処理の際に白紙を検知した裏面の画像データを削除する。これにより、不要な画像データの保存を防ぎ、Ｍｅｍｏｒｙ  ｔｏ  Ｎｅｔｗｏｒｋ動作で生成される画像ファイルのデータ量を少なくすることができる。なお、画像ファイルのデータ量を特に気にせず、裏面の画像データを全て保存したい場合には、白紙検知の結果を反映させなくてもよい。
【００７５】
プロセスコントローラ２０は、全ての原稿をＳＢＵ１１で読み込んだか否かを判断する（ステップＳ４１３）。プロセスコントローラ２０は、全ての原稿をＳＢＵ１１で読み込んでいないと判断した場合（ステップＳ４１３：Ｎｏ）、ステップＳ４０２へ戻り、以下のステップを繰り返す。
【００７６】
プロセスコントローラ２０は、全ての原稿をＳＢＵ１１で読み込んだと判断した場合（ステップＳ４１３：Ｙｅｓ）、ＩＭＡＣ１８に対して画像処理した全ての画像データをＭＥＭ１７へ蓄積させる（ステップＳ４１４）。以上のステップを経てＳｃａｎ  ｔｏ  Ｍｅｍｏｒｙ動作が終了する。図５は、画像処理装置が読取る原稿の一例を示す図であり、図６は、画像処理装置が図５に示す原稿を読取った場合に、Ｓｃａｎ  ｔｏ  Ｍｅｍｏｒｙ動作終了後にＭＥＭ１７へ蓄積された画像データを模式的に示す図である。
【００７７】
なお、本例では、表面の読み取り条件のうち、カラーモードが指定されている場合はグレースケール（シングルカラー）に変更し、解像度が高い場合は低い解像度に変更して裏面を読み込んでいるが、これらの条件を変更せずに、そのままの条件で裏面を読み込んでもよい。
【００７８】
なお、本例におけるグレースケール（シングルカラー）での読み取りとは、フルカラーを構成する成分（Ｒ成分・Ｇ成分・Ｂ成分）のうち、どれか１つの成分または任意の２つ以下の成分での読み取り、または、モノクロ成分を読み取ることが可能な機器構成の場合は、モノクロ成分での読み取りも意味する。
【００７９】
（Ｍｅｍｏｒｙ  ｔｏ  Ｎｅｔｗｏｒｋ動作の具体例１）
次に、本実施の形態にかかる画像処理装置におけるＭｅｍｏｒｙ  ｔｏ  Ｎｅｔｗｏｒｋ動作の具体例について説明する。具体例１では、画像処理装置は、ＭＥＭ１７に蓄積された画像データのうち表面の画像データのみで出力画像ファイルを生成する。図７は、Ｍｅｍｏｒｙ  ｔｏ  Ｎｅｔｗｏｒｋ動作の具体例１を示すフローチャートである。
【００８０】
システムコントローラ２１は、ＮＣＵ１５に対して表面の画像データを画像ファイル化させる（ステップＳ７０１）。なお、ファイル形式は、ＪＰＥＧ、ＴＩＦＦ、または、ＰＤＦ等、利用者が指定したフォーマットに格納するファイル形式である。システムコントローラ２１は、全ての表面の画像データを画像ファイル化したか否かを判断する（ステップＳ７０２）。システムコントローラ２１は、全ての表面の画像データを画像ファイル化していないと判断した場合（ステップＳ７０２：Ｎｏ）、ステップＳ７０１へ戻り、以下のステップを繰り返す。
【００８１】
システムコントローラ２１は、全ての表面の画像データを画像ファイル化したと判断した場合（ステップＳ７０２：Ｙｅｓ）、ＮＣＵ１５に対して画像ファイル化されたデータを最終的な出力画像ファイルとして生成させる（ステップＳ７０３）。システムコントローラ２１は、ＮＣＵ１５に対して生成した出力画像ファイルを画像ファイルサーバへ送信させる（ステップＳ７０４）。以上のステップを経てＭｅｍｏｒｙ  ｔｏ  Ｎｅｔｗｏｒｋ動作が終了する。
【００８２】
図８は、画像処理装置が図５に示す原稿を読取った場合に、具体例１で生成した出力画像ファイルを開いた時のイメージおよび出力画像ファイルの物理的なイメージを模式的に示す図である。Ｓｃａｎ  ｔｏ  Ｍｅｍｏｒｙ動作で、表面が白紙でも表面の画像データを削除していないため、原稿の片面画像を画像ファイル化したものが一つの出力画像ファイルとして生成される。このため、具体例１では、利用者は出力画像ファイルを開いた時には、裏面に記載されていた情報を特に意識することはない。なお、裏面の画像データは画像ファイル化しないが、ＭＥＭ１７に全て蓄積されているため、利用者は必要な場合には、取り出すことが可能である。
【００８３】
（Ｍｅｍｏｒｙ  ｔｏ  Ｎｅｔｗｏｒｋ動作の具体例２）
具体例２では、画像処理装置は、ＭＥＭ１７に蓄積された表面の画像データと裏面の画像データとで画像ファイルを生成するとともに、裏面の画像ファイルを不可視にするためのコードを生成し、画像ファイル化されたデータと当該コードを最終的な出力ファイルとして生成する。さらに、具体例２では、ファイルのサイズが大きい裏面の画像ファイルを削除する。図９は、Ｍｅｍｏｒｙ  ｔｏ  Ｎｅｔｗｏｒｋ動作の具体例２を示すフローチャートである。
【００８４】
システムコントローラ２１は、ＮＣＵ１５に対して表面の画像データを画像ファイル化させる（ステップＳ９０１）。なお、ファイル形式はＰＤＦを用い、あらかじめ利用者はＰＤＦしか選択できないようにしておく。ＰＤＦは、画像や画像に対する表示方法等、様々なデータを格納できるファイルフォーマットである。そして、ＰＤＦは、画像データを格納するとともに、特定の画像ファイルを不可視と指定するコードも合わせて格納することができ、別途当該ファイルを表示した際に、指定した画像ファイルを不可視にすることが可能である。具体例２ではファイル形式をＰＤＦとしているが、代わりに、同じ機能を有するファイル形式を使用してもよい。
【００８５】
次に、システムコントローラ２１は、ＮＣＵ１５に対して裏面の画像データを画像ファイル化させる（ステップＳ９０２）。そして、システムコントローラ２１は、ＮＣＵ１５に対してファイル化した裏面のファイルサイズはしきい値より大きいか否かを判断させる（ステップＳ９０３）。なお、システムコントローラ２１は、第２のＲＯＭ２６に記憶されたしきい値をＮＣＵ１５に送る。
【００８６】
裏面の画像データのファイルサイズが大きい場合、当該画像データはメモではない可能性が高い。例えば、裏面が裏紙であった場合には記載量が多くなるため、その画像データを画像ファイル化したときのファイルサイズも大きくなる。このような裏紙の情報を画像ファイルとして出力することは、ファイルサイズが大きくなるだけでなく、後で当該ファイルを利用する利用者にとって迷惑である。そのため、本例では、あらかじめ設定したしきい値より大きいサイズである画像ファイルを削除するようにしている。
【００８７】
ＮＣＵ１５は、ファイル化した裏面のファイルサイズはしきい値より大きいと判断した場合（ステップＳ９０３：Ｙｅｓ）、当該画像ファイルを削除する（ステップＳ９０４）。ＮＣＵ１５は、ファイル化した裏面のファイルサイズはしきい値より大きくないと判断した場合（ステップＳ９０３：Ｎｏ）、そのままステップＳ９０５へ進む。
【００８８】
ステップＳ９０５で、システムコントローラ２１は、全ての画像データを画像ファイル化したか否かを判断する。システムコントローラ２１は、全ての画像データを画像ファイル化していないと判断した場合（ステップＳ９０５：Ｎｏ）、ステップＳ９０１へ戻り、以下のステップを繰り返す。
【００８９】
システムコントローラ２１は、全ての画像データを画像ファイル化したと判断した場合（ステップＳ９０５：Ｙｅｓ）、裏面の画像ファイルを不可視にするためのコードを生成し（ステップＳ９０６）、画像ファイル化されたデータと当該コードとを最終的な出力画像ファイルとして生成する（ステップＳ９０７）。
【００９０】
このようにして生成された出力画像ファイルを利用者が後で開いた場合、裏面の画像データは表示されない。利用者はあくまでも片面原稿として読み取っているため、裏面に何らかの情報が記載されていたとしても、裏面の画像データが表面の画像データと一緒に表示されるのは迷惑と感じる可能性があるためである。ただし、出力画像ファイルには、画像データとして格納されているため、利用者は必要な場合には、検索等で自由に表示することができる。
【００９１】
システムコントローラ２１は、ＮＣＵ１５に対して生成した出力画像ファイルを画像ファイルサーバへ送信させる（ステップＳ９０８）。以上のステップを経てＭｅｍｏｒｙ  ｔｏ  Ｎｅｔｗｏｒｋ動作が終了する。
【００９２】
図１０および図１１は、画像処理装置が図５に示す原稿を読取った場合に、具体例２で生成した出力画像ファイルを開いた時のイメージおよび出力画像ファイルの物理的なイメージを模式的に示す図である。なお、図１１は、原稿の２枚目の裏面がしきい値より大きかった場合の出力画像ファイルを表す。
【００９３】
ここで、図１０をみると、原稿の１、２枚目の裏面に対応する画像ファイルは、物理的には出力画像ファイルに存在するが、ファイルを開いた時には裏面のデータは表示されない。また、原稿の３枚目の裏面は白紙であるので、Ｓｃａｎ  ｔｏ  Ｍｅｍｏｒｙ動作で当該画像データは既に削除されており、物理的にも出力画像ファイルに存在しない。
【００９４】
また、図１１をみると、原稿の１枚目の裏面に対応する画像ファイルは、物理的には出力画像ファイルに存在するが、ファイルを開いた時には裏面のデータは表示されない。また、原稿の２枚目の裏面に対応する画像ファイルは、しきい値より大きかったため既に削除されており、物理的にも出力画像ファイルに存在しない。さらに、原稿の３枚目の裏面は白紙であるので、Ｓｃａｎ  ｔｏ  Ｍｅｍｏｒｙ動作で当該画像データは既に削除されており、物理的にも出力画像ファイルに存在しない。
【００９５】
このため、具体例２では、利用者は出力画像ファイルを開いた時には、裏面の画像が見えないので裏面に記載されていた情報を特に意識することはない。なお、裏面の画像データは画像データとしてファイルには格納されているため、利用者は必要な場合には、検索等で自由に表示することが可能である。
【００９６】
なお、本例では、裏面のファイルサイズがしきい値より大きい場合に当該画像ファイルを削除しているが、裏面の記載量が多い場合はその重要度が高いと考えて、裏面のファイルサイズがしきい値より小さい場合に当該画像ファイルを削除するようにしてもよい。また、利用者が、しきい値に対する設定またはしきい値自体を、自由に変更できるようにしてもよい。
【００９７】
（Ｍｅｍｏｒｙ  ｔｏ  Ｎｅｔｗｏｒｋ動作の具体例３）
具体例３では、画像処理装置は、ＭＥＭ１７に蓄積された表面の画像データで画像ファイルを生成するとともに、裏面の画像データのサムネイル（縮小）データを生成し、さらにサムネイル（縮小）データを画像ファイル化し、画像ファイル化されたこれらのデータを最終的な出力ファイルとして生成する。図１２は、Ｍｅｍｏｒｙ  ｔｏ  Ｎｅｔｗｏｒｋ動作の具体例３を示すフローチャートである。
【００９８】
システムコントローラ２１は、ＮＣＵ１５に対して表面の画像データを画像ファイル化させる（ステップＳ１２０１）。なお、ファイル形式は、ＪＰＥＧ、ＴＩＦＦ、または、ＰＤＦ等、利用者が指定したフォーマットに格納するファイル形式である。次に、システムコントローラ２１は、ＮＣＵ１５に対して裏面の画像データからサムネイルデータを生成させる（ステップＳ１２０２）。
【００９９】
システムコントローラ２１は、全ての表面の画像データを画像ファイル化し、全ての裏面の画像データからサムネイルデータを生成したか否かを判断する（ステップＳ１２０３）。システムコントローラ２１は、全ての表面の画像データを画像ファイル化し、全ての裏面の画像データからサムネイルデータを生成していないと判断した場合（ステップＳ１２０３：Ｎｏ）、ステップＳ１２０１へ戻り、以下のステップを繰り返す。
【０１００】
システムコントローラ２１は、全ての表面の画像データを画像ファイル化し、全ての裏面の画像データからサムネイルデータを生成したと判断した場合（ステップＳ１２０３：Ｙｅｓ）、ＮＣＵ１５に対して生成した全てのサムネールデータからサムネイル画像を生成させ、さらに画像ファイル化させる（ステップＳ１２０４）。システムコントローラ２１は、ＮＣＵ１５に対して画像ファイル化されたデータ（表面およびサムネイル）を最終的な出力画像ファイルとして生成させる（ステップＳ１２０５）。
【０１０１】
システムコントローラ２１は、ＮＣＵ１５に対して生成した出力画像ファイルを画像ファイルサーバへ送信させる（ステップＳ１２０６）。以上のステップを経てＭｅｍｏｒｙ  ｔｏ  Ｎｅｔｗｏｒｋ動作が終了する。
【０１０２】
図１３は、画像処理装置が図５に示す原稿を読取った場合に、具体例３で生成した出力画像ファイルを開いた時のイメージおよび出力画像ファイルの物理的なイメージを模式的に示す図である。原稿の裏面のサムネール画像ファイルと、原稿の表面の画像ファイルが一つの出力画像ファイルとして生成される。このため、具体例３では、利用者は出力画像ファイルを開いた時に、原稿の裏面をサムネール画像で閲覧できるので、裏面に記載されていた情報を容易に認識することができる。
【０１０３】
なお、本例では、表面の画像ファイルとサムネイルの画像ファイルから一つの出力画像ファイルを生成しているが、表面の画像ファイルの出力画像ファイルとサムネイルの画像ファイルの出力画像ファイルの２つの出力画像ファイルを生成してもよい。
【０１０４】
また、生成したサムネイルデータの１つのデータ量があらかじめ設定したしきい値より大きい場合、当該サムネイルデータを除いてサムネイル画像を生成してもよい。
【０１０５】
（変形例）
本実施の形態にかかる画像処理装置では、Ｓｃａｎ  ｔｏ  Ｍｅｍｏｒｙ動作において、表面の読み取り条件のうち、カラーモード指定情報がカラーである場合、グレースケール（シングルカラー）に変更して裏面を読み込む処理を行うとともに、解像度設定情報が最も低い解像度でない場合、解像度設定を最も低くして裏面を読み込む処理を行っている。しかし、Ｓｃａｎ  ｔｏ  Ｍｅｍｏｒｙ動作で、これらの処理ができない場合は、代わりに、Ｍｅｍｏｒｙ  ｔｏ  Ｎｅｔｗｏｒｋ動作でこれらの処理を行う。なお、裏面を表面と同じ読み取り条件で読み込んでいるので、そのまま通常のＭｅｍｏｒｙ  ｔｏ  Ｎｅｔｗｏｒｋ動作を行うと、両面が同じ画質である出力画像ファイルを生成することができる。
【０１０６】
図１４は、Ｍｅｍｏｒｙ  ｔｏ  Ｎｅｔｗｏｒｋ動作の変形例を示すフローチャートである。なお、本例の場合、Ｓｃａｎ  ｔｏ  Ｍｅｍｏｒｙ動作では、表面の読み取り条件のうち、カラーモード指定情報がカラーであっても、そのまま表面の読み取り条件で裏面を読み込んでおり、解像度設定情報が最も低い解像度でなくても、そのまま表面の読み取り条件で裏面を読み込んでいる。
【０１０７】
システムコントローラ２１は、ＮＣＵ１５に対して表面の画像データを画像ファイル化させる（ステップＳ１４０１）。なお、ファイル形式はＰＤＦを用い、あらかじめ利用者はＰＤＦしか選択できないようにしておく。
【０１０８】
次に、システムコントローラ２１は、この画像データの読み取り条件のうち、カラーモード指定情報がカラーか否かを判断する（ステップＳ１４０２）。システムコントローラ２１は、カラーモード指定情報がカラーであると判断した場合（ステップＳ１４０２：Ｙｅｓ）、ＮＣＵ１５に対して裏面の画像データをグレースケール（シングルカラー）化して画像ファイル化させ（ステップＳ１４０３）、ステップＳ１４０７へ進む。システムコントローラ２１は、カラーモード指定情報がカラーではない、すなわちグレースケール（シングルカラー）であると判断した場合（ステップＳ１４０２：Ｎｏ）、そのままステップＳ１４０４へ進む。
【０１０９】
ステップＳ１４０４で、システムコントローラ２１は、この画像データの読み取り条件のうち、解像度設定情報が最も低い解像度であるか否かを判断する。システムコントローラ２１は、解像度設定情報が最も低い解像度ではない、すなわち、１２００ｄｐｉまたは６００ｄｐｉであると判断した場合（ステップＳ１４０４：Ｎｏ）、ＮＣＵ１５に対して裏面の画像データの解像度を最も低くして、すなわち３００ｄｐｉで画像ファイル化させ（ステップＳ１４０５）、ステップＳ１４０７へ進む。システムコントローラ２１は、解像度設定情報が最も低い解像度である、すなわち、３００ｄｐｉであると判断した場合（ステップＳ１４０４：Ｙｅｓ）、そのままステップＳ１４０６へ進む。
【０１１０】
ステップＳ１４０６で、システムコントローラ２１は、ＮＣＵ１５に対して裏面の画像データをそのまま画像ファイル化させる（ステップＳ１４０６）。
【０１１１】
なお、以後のステップＳ１４０７〜Ｓ１４１２は、図９のステップＳ９０３〜Ｓ９０８と同じであるため説明を省略する。以上のステップを経てＭｅｍｏｒｙ  ｔｏ  Ｎｅｔｗｏｒｋ動作が終了する。
【０１１２】
このように、Ｓｃａｎ  ｔｏ  Ｍｅｍｏｒｙ動作で、裏面をカラーからグレースケール（シングルカラー）に変更して読み込めなくても、Ｍｅｍｏｒｙ  ｔｏ  Ｎｅｔｗｏｒｋ動作で、裏面の画像データをグレースケール（シングルカラー）化して画像ファイル化することができるので、生成される画像ファイルのデータ量を少なくすることができる。
【０１１３】
また、Ｓｃａｎ  ｔｏ  Ｍｅｍｏｒｙ動作で、裏面の解像度を落として読み込めなくても、Ｍｅｍｏｒｙ  ｔｏ  Ｎｅｔｗｏｒｋ動作で、裏面の画像データの解像度を落として画像ファイル化することができるので、生成される画像ファイルのデータ量を少なくすることができる。
【０１１４】
なお、本例では、カラーモード指定情報がカラーであると判断した場合、裏面の画像データをグレースケール（シングルカラー）化して画像ファイル化するが、その前に、解像度設定情報が最も低い解像度であるか否かを判断し、解像度設定情報が最も低い解像度ではないと判断した場合、裏面の画像データをグレースケール（シングルカラー）化するとともに、その解像度を最も低くして画像ファイル化してもよい。
【０１１５】
なお、本例におけるグレースケール（シングルカラー）化しての画像ファイル化とは、
グレースケールでの画像ファイル化、または、二値画像での画像ファイル化も意味する。
【０１１６】
このように、第１の実施の形態にかかる画像処理装置によれば、原稿読み取りの原稿面指定が片面だった場合でも両面を読み取り、両面の画像データを含む画像ファイルを生成し出力することができるので、裏面に存在する有用な情報が保存されないことを防止することが可能となる。
【０１１７】
さらに、第１の実施の形態にかかる画像処理装置によれば、読み込んだ裏面の画像データに白紙以外の画像データがあった場合には、表面の全ての画像データと白紙以外の裏面の画像データとを含む画像ファイルを生成することができるので、裏面に存在する有用な情報が保存されないことを防止することが可能となる。
【０１１８】
（第２の実施の形態）
第１の実施の形態では、片面読み取りの指定だった場合でも両面を読取り、読み取ったデジタル画像データから画像ファイルを生成し、生成した画像ファイルを画像ファイルサーバへ送信しているが、第２の実施の形態では、片面印刷の指定だった場合でも両面を読取り、読み取ったデジタル画像データをプリンタに出力する。第２の実施の形態について、添付図面を参照して説明する。なお、画像処理装置の構成は第１の実施の形態と同様であるので、上述した説明を参照し、ここでの説明を省略する。
【０１１９】
（Ｍｅｍｏｒｙ  ｔｏ  Ｐｒｉｎｔ動作）
Ｍｅｍｏｒｙ  ｔｏ  Ｐｒｉｎｔ動作とは、Ｓｃａｎ  ｔｏ  Ｍｅｍｏｒｙ動作によりＭＥＭ１７に蓄積されたデジタル画像データを、プリンタ２２で印刷する動作のことである。ＩＭＡＣ１８はＭＥＭ１７からデジタル画像データを読み出して、保存する前の画像形式へ伸張する。それからパラレルバス２８を経由してＣＤＩＣ１３にデジタル画像データを転送する。ＣＤＩＣ１３はＩＭＡＣ１８から転送されたデジタル画像データをＩＰＵ１４へ転送する。ＩＰＵ１４は、デジタル画像データの周波数特性や階調特性などを最適化するための画像処理を行う。プリンタ２２は、画像処理後のデジタル画像データを印刷する。プリンタ２２によるデジタル画像の印刷が完了すると、システムコントローラ２１は操作部にその旨を表示し、Ｍｅｍｏｒｙ  ｔｏ  Ｐｒｉｎｔ動作を終了する。
【０１２０】
（印刷方法の具体例１）
本実施の形態にかかる画像処理装置における印刷方法について説明する。具体例１では、画像処理装置は、印刷の原稿面指定が片面だった場合でも、表面の読み取り条件と全て同じ条件で裏面を読み込み、プリンタ２２で読み込んだ画像データを片面印刷で紙などの転写材に印刷する。図１５は、印刷方法の具体例１を示すフローチャートである。
【０１２１】
利用者が、ＡＤＦの上に原稿を設置し（ステップＳ１５０１）、操作部を使って片面印刷（片面読み取り）を指定する（ステップＳ１５０２）。次に、利用者は、操作部を使って他の印刷条件を設定し（ステップＳ１５０３）、全ての入力が完了したらスタートボタンを押す（ステップＳ１５０４）。図１６は、操作部に表示される種々の印刷条件を示す図である。
【０１２２】
液晶タッチパネル１９は、スタートボタン１９ｂが押されると、その旨をプロセスコントローラ２０に通知し、プロセスコントローラ２０は、表面を指定する原稿面指定情報を含んだ印刷条件を第１のＲＡＭ２３に保存するとともに、システムコントローラ２１は、表面を指定する原稿面指定情報を含んだ印刷条件を第２のＲＡＭ２５へ保存する（ステップＳ１５０５）。
【０１２３】
プロセスコントローラ２０は、ＳＢＵ１１に原稿を搬送し（ステップＳ１５０６）、ＳＢＵ１１に対して表面を印刷条件に基づいて読み込ませる（ステップＳ１５０７）。
【０１２４】
プロセスコントローラ２０は、表面の印刷条件に基づいて第１のＲＯＭ２４から画像処理パラメータを読み込み、そのパラメータによってＩＰＵ１４に対して表面の画像処理をさせる（ステップＳ１５０８）。
【０１２５】
プロセスコントローラ２０は、ＳＢＵ１１に対して裏面を印刷条件に基づいて読み込ませる（ステップＳ１５０９）。この場合の裏面の印刷条件は、表面の印刷条件と全て同じである。
【０１２６】
ＳＢＵ１１によって読み込まれた裏面の画像データはＷＩＵ１２に送られ、ＷＩＵ１２は、裏面の白紙検知を実行する（ステップＳ１５１０）。そして、白紙検知の結果は、プロセスコントローラ２０に通知される。
【０１２７】
プロセスコントローラ２０は、印刷条件に基づいて第１のＲＯＭ２４から画像処理パラメータを読み込み、そのパラメータによってＩＰＵ１４に対して裏面の画像処理をさせる（ステップＳ１５１１）。この場合の印刷条件は、前述したように、表面の印刷条件と全て同じである。さらに、ＩＰＵ１４は、裏面の画像処理の際に白紙を検知した裏面の画像データを削除する。これにより、後のステップでの印刷時に不要な印刷を防ぐことができる。
【０１２８】
プロセスコントローラ２０は、全ての原稿をＳＢＵ１１で読み込んだか否かを判断する（ステップＳ１５１２）。プロセスコントローラ２０は、全ての原稿をＳＢＵ１１で読み込んでいないと判断した場合（ステップＳ１５１２：Ｎｏ）、ステップＳ１５０６へ戻り、以下のステップを繰り返す。
【０１２９】
プロセスコントローラ２０は、全ての原稿をＳＢＵ１１で読み込んだと判断した場合（ステップＳ１５１２:Ｙｅｓ）、ＩＭＡＣ１８に対して画像処理した全ての画像データをＭＥＭ１７へ蓄積させる（ステップＳ１５１３）。なお、ここまでの動作が第１の実施の形態で説明したＳｃａｎ  ｔｏ  Ｍｅｍｏｒｙ動作に相当する。
【０１３０】
プロセスコントローラ２０は、ＩＰＵ１４に対して画像処理した全ての画像データをプリンタ２２で印刷させる（ステップＳ１５１４）。なお、この場合片面印刷で全ての画像データが印刷される。なお、ステップＳ１５１４の動作がＭｅｍｏｒｙ  ｔｏ  Ｐｒｉｎ動作である。以上のステップを経て読み込んだ画像データの印刷が終了する。
【０１３１】
図１７は、画像処理装置が図５に示す原稿を読取った場合に、プリンタ２２により印刷された紙を示す図である。本例では、全ての原稿の表面（２枚目の白紙含む）が片面印刷されるとともに、裏面に何らかの情報が記載されている原稿（１、２枚目）の裏面も片面印刷される。
【０１３２】
（印刷方法の具体例２）
具体例２では、画像処理装置は、印刷の原稿面指定が片面だった場合でも、表面の読み取り条件と全て同じ条件で裏面を読み込み、プリンタ２２で読み込んだ画像データを両面印刷で紙などの転写材に印刷する。図１８は、印刷方法の具体例２を示すフローチャートである。なお、図１８のステップＳ１８０１〜Ｓ１８１０は、図１５のステップＳ１５０１〜Ｓ１５１０と同じであるので、説明を省略する。
【０１３３】
ステップＳ１８１１で、プロセスコントローラ２０は、印刷条件に基づいて第１のＲＯＭ２４から画像処理パラメータを読み込み、そのパラメータによってＩＰＵ１４に対して裏面の画像処理をさせる。この場合の印刷条件は、前述したように、表面の印刷条件と全て同じである。なお、裏面の画像データに白紙以外の画像データがあれば読み込んだ全ての画像データを両面印刷するので、具体例１と異なり、ＩＰＵ１４は、裏面の画像処理の際に白紙を検知した裏面の画像データを削除することはしない。
【０１３４】
プロセスコントローラ２０は、全ての原稿をＳＢＵ１１で読み込んだか否かを判断する（ステップＳ１８１２）。プロセスコントローラ２０は、全ての原稿をＳＢＵ１１で読み込んでいないと判断した場合（ステップＳ１８１２：Ｎｏ）、ステップＳ１８０６へ戻り、以下のステップを繰り返す。
【０１３５】
プロセスコントローラ２０は、全ての原稿をＳＢＵ１１で読み込んだと判断した場合（ステップＳ１８１２:Ｙｅｓ）、ＩＭＡＣ１８に対して画像処理した全ての画像データをＭＥＭ１７へ蓄積させる（ステップＳ１８１３）。なお、ここまでの動作が第１の実施の形態で説明したＳｃａｎ  ｔｏ  Ｍｅｍｏｒｙ動作に相当する。
【０１３６】
プロセスコントローラ２０は、読み込んだ裏面の画像データの中で白紙以外の画像データがあったか否かを判断する（ステップＳ１８１４）。
【０１３７】
プロセスコントローラ２０は、読み込んだ裏面の画像データの中で白紙以外の画像データがなかったと判断した場合（ステップＳ１８１４：Ｎｏ）、ＩＰＵ１４に対して画像処理した表面の画像データをプリンタ２２で片面印刷させる（ステップＳ１８１５）。
【０１３８】
プロセスコントローラ２０は、読み込んだ裏面の画像データの中で白紙以外の画像データがあったと判断した場合（ステップＳ１８１４：Ｙｅｓ）、ＩＰＵ１４に対して画像処理した全ての画像データ（裏面の白紙データを含む）をプリンタ２２で両面印刷させる（ステップＳ１８１６）。なお、ステップＳ１８１４〜Ｓ１８１６の動作がＭｅｍｏｒｙ  ｔｏ  Ｐｒｉｎ動作である。以上のステップを経て読み込んだ画像データの印刷が終了する。
【０１３９】
図１９は、画像処理装置が図５に示す原稿を読取った場合に、プリンタ２２により印刷された紙を示す図である。本例では、原稿の１、２枚目の裏面に何らかの情報が記載がされているため、全ての原稿（３枚）の両面がそのまま両面印刷される。
【０１４０】
なお、本実施の形態では、裏面の画像データに白紙以外の画像データがあった場合の裏面の印刷条件は、表面の印刷条件と全て同じとしているが、第１の実施の形態と同様に、カラーモード指定情報がカラーであると判断した場合、裏面の画像データをグレースケール（シングルカラー）化して印刷してもよいし、解像度設定情報が最も低い解像度ではないと判断した場合、裏面の画像データの解像度を最も低くして印刷してもよい。この場合のグレースケール（シングルカラー）化しての印刷とは、二値画像の印刷、または、擬似中間調画像の印刷も意味する。
【０１４１】
このように、第２の実施の形態にかかる画像処理装置によれば、印刷の原稿面指定が片面だった場合でも両面を読み取り、読み込んだ裏面の画像データに白紙以外の画像データがあった場合には、その画像データを表面の画像データとともに片面印刷することができるので、裏面に存在する有用な情報が印刷されないことを防止することが可能となる。
【０１４２】
さらに、第２の実施の形態にかかる画像処理装置によれば、印刷の原稿面指定が片面だった場合でも両面を読み取り、読み込んだ裏面の画像データに白紙以外の画像データがあった場合には、片面印刷から両面印刷へ自動的に変更し両面の全ての画像データを印刷することができるので、裏面に存在する有用な情報が印刷されないことを防止することが可能となる。
【０１４３】
なお、本発明は、ＦＡＸ出力にも使用することが可能である。
【図面の簡単な説明】
【０１４４】
【図１】第１の実施の形態にかかる画像処理装置の構成を示すブロック図である。
【図２】操作部に表示される種々の読み取り条件を示す図である。
【図３】本実施の形態にかかる画像処理装置における画像処理方法を示すフローチャートである。
【図４】Ｓｃａｎ  ｔｏ  Ｍｅｍｏｒｙ動作の具体例１を示すフローチャートである。
【図５】画像処理装置が読取る原稿の一例を示す図である。
【図６】Ｓｃａｎ  ｔｏ  Ｍｅｍｏｒｙ動作終了後にＭＥＭへ蓄積された画像データを模式的に示す図である。
【図７】Ｍｅｍｏｒｙ  ｔｏ  Ｎｅｔｗｏｒｋ動作の具体例１を示すフローチャートである。
【図８】具体例１で生成した出力画像ファイルを開いた時のイメージおよび出力画像ファイルの物理的なイメージを模式的に示す図である。
【図９】Ｍｅｍｏｒｙ  ｔｏ  Ｎｅｔｗｏｒｋ動作の具体例２を示すフローチャートである。
【図１０】具体例２で生成した出力画像ファイルを開いた時のイメージおよび出力画像ファイルの物理的なイメージを模式的に示す図である。
【図１１】具体例２で生成した出力画像ファイルを開いた時のイメージおよび出力画像ファイルの物理的なイメージを模式的に示す図である。
【図１２】Ｍｅｍｏｒｙ  ｔｏ  Ｎｅｔｗｏｒｋ動作の具体例３を示すフローチャートである。
【図１３】具体例３で生成した出力画像ファイルを開いた時のイメージおよび出力画像ファイルの物理的なイメージを模式的に示す図である。
【図１４】Ｍｅｍｏｒｙ  ｔｏ  Ｎｅｔｗｏｒｋ動作の変形例を示すフローチャートである。
【図１５】印刷方法の具体例１を示すフローチャートである。
【図１６】操作部に表示される種々の印刷条件を示す図である。
【図１７】プリンタにより印刷された紙を示す図である。
【図１８】印刷方法の具体例２を示すフローチャートである。
【図１９】プリンタにより印刷された紙を示す図である。
【符号の説明】
【０１４５】
１１  スキャナボードユニット（ＳＢＵ）
１２  白紙検知ユニット（ＷＩＵ）
１３  圧縮／伸張およびデータインターフェイス（ＣＤＩＣ）
１４  画像処理プロセッサ（ＩＰＵ）
１５  ネットワーク制御ユニット（ＮＣＵ）
１６  ＩＰネットワーク
１７  メモリモジュール（ＭＥＭ）
１８  画像メモリアクセス制御ユニット（ＩＭＡＣ）
１９  液晶タッチパネル
２０  プロセスコントローラ
２１  システムコントローラ
２２  プリンタ
２３  第１のＲＡＭ
２４  第１のＲＯＭ
２５  第２のＲＡＭ
２６  第２のＲＯＭ
２７  ローカルバス
２８  パラレルバス
２９  シリアルバス
【図１】
0005033685.tif 000002
【図２】
0005033685.tif 000003
【図３】
0005033685.tif 000004
【図４】
0005033685.tif 000005
【図５】
0005033685.tif 000006
【図６】
0005033685.tif 000007
【図７】
0005033685.tif 000008
【図８】
0005033685.tif 000009
【図９】
0005033685.tif 000010
【図１０】
0005033685.tif 000011
【図１１】
0005033685.tif 000012
【図１２】
0005033685.tif 000013
【図１３】
0005033685.tif 000014
【図１４】
0005033685.tif 000015
【図１５】
0005033685.tif 000016
【図１６】
0005033685.tif 000017
【図１７】
0005033685.tif 000018
【図１８】
0005033685.tif 000019
【図１９】
0005033685.tif 000020